(57)【要約】【課題】薄型電池を確実に収納スペースに固定しながら、損傷することなく速やかに取り外しする。【解決手段】薄型電池５を外装ケース２の収納スペース３に固定する粘着シート６は、収納スペース３に接着される接着シート部８と、この接着シート部８に連続して、薄型電池表面の露出面５Ａに剥離自在に接着される剥離シート部９と、接着シート部８から分離自在に薄型電池５の背面５Ｂに接着されると共に、先端部には薄型電池５の露出面５Ａに突出しているツマミ部１０Ａを有する摘みシート部１０とを有し、接着シート部８を収納スペース３に接着し、剥離シート部９を薄型電池５の露出面５Ａに接着して薄型電池５を収納スペース３に固定し、剥離シート部９を露出面５Ａから剥離し、摘みシート部１０を引き上げて薄型電池５を収納スペース３から取り出しするようにしている。【選択図】図１
2017134887.tif 000002
【特許請求の範囲】
【請求項１】
薄型電池を粘着シートを介して外装ケースの収納スペースに固定してなる電子機器であって、
前記粘着シートは、接着層を介して前記収納スペースに接着される接着シート部と、前記薄型電池表面の露出面に剥離自在に接着される剥離シート部と、前記薄型電池の背面に接着されると共に、先端部には前記薄型電池の露出面に突出してなるツマミ部を有する摘みシート部とを有し、
前記粘着シートは、前記接着シート部と前記剥離シート部とを連続するシートとして、前記摘みシート部を前記接着シート部から分離自在としており、
前記接着シート部が前記接着層を介して前記収納スペースに接着されて前記粘着シートが前記収納スペースに接着されると共に、前記剥離シート部が前記薄型電池表面の露出面に接着される状態で前記薄型電池が前記収納スペースに固定され、
前記剥離シート部が前記薄型電池表面から剥離される状態で、前記摘みシート部が引き上げられて前記薄型電池が前記収納スペースから取り出されるようにしてなる電子機器。
【請求項２】
請求項１に記載される電子機器であって、
前記剥離シート部が、前記接着層よりも接着強度の弱い弱接着層を介して前記薄型電池に接着されてなることを特徴とする電子機器。
【請求項３】
請求項１又は２に記載される電子機器であって、
前記剥離シート部が前記薄型電池表面の両側部に剥離自在に接着され、
前記ツマミ部が、前記薄型電池表面の前記剥離シート部の接着領域以外の領域に剥離自在に接着されてなることを特徴とする電子機器。
【請求項４】
請求項１ないし３のいずれかに記載される電子機器であって、
前記薄型電池が外周縁部に凹部を有し、前記剥離シート部の一部が前記凹部に非接着状態に配置されてなることを特徴とする電子機器。
【請求項５】
請求項１ないし４のいずれかに記載される電子機器であって、
前記摘みシート部が分離自在なミシン目を介して前記接着シート部に連結されてなることを特徴とする電子機器。
【請求項６】
請求項５に記載される電子機器であって、
前記薄型電池が四角形の一辺の外周縁に凹部を有することを特徴とする電子機器。
【請求項７】
請求項１ないし６のいずれかに記載される電子機器であって、
前記剥離シート部と前記摘みシート部の表面に剥離する順番を表示してなることを特徴とする電子機器。
【請求項８】
請求項１ないし７のいずれかに記載される電子機器であって、
前記接着シート部の表面に、前記接着層を設ける接着領域を表示してなることを特徴とする電子機器。
【請求項９】
請求項１ないし８のいずれかに記載される電子機器であって、
前記接着層を両面接着テープとしてなることを特徴とする電子機器。
【請求項１０】
請求項１ないし９のいずれかに記載される電子機器であって、
前記粘着シートを透明シートとしてなることを特徴とする電子機器。
【請求項１１】
請求項１ないし１０のいずれかに記載される電子機器であって、
前記粘着シートが、前記薄型電池に剥離自在に接着される弱接着層を前記接着シート部に設けており、さらに、前記接着シート部が前記薄型電池との対向面に、前記弱接着層の塗布されない非塗布領域を設けてなることを特徴とする電子機器。
【請求項１２】
請求項１１に記載される電子機器であって、
前記接着シート部が、前記接着層の反対側の面に前記非塗布領域を設けてなることを特徴とする電子機器。
【請求項１３】
請求項１２に記載される電子機器であって、
前記接着層が細長い形状で、前記非塗布領域を前記接着層の長手方向に延びる帯状としてなることを特徴する電子機器。
【請求項１４】
請求項１２又は１３に記載される電子機器であって、
前記接着層の幅方向に対して内側に前記非塗布領域を配置してなることを特徴する電子機器。
【請求項１５】
薄型電池を粘着シートを介して電子機器の外装ケースの収納スペースに固定してなる電池パックであって、
前記粘着シートは、接着層を介して前記収納スペースに接着される接着シート部と、前記薄型電池表面の露出面に剥離自在に接着される剥離シート部と、前記薄型電池の背面に接着されると共に、先端部には前記薄型電池の露出面に突出してなるツマミ部を有する摘みシート部とを有し、
前記粘着シートは、前記接着シート部と前記剥離シート部とを連続するシートとして、前記摘みシート部を前記接着シート部から分離自在としており、
前記接着シート部が前記接着層を介して前記収納スペースに接着されて前記粘着シートが前記収納スペースに接着されると共に、前記剥離シート部が前記薄型電池表面の露出面に接着される状態で前記薄型電池が前記収納スペースに固定され、
前記剥離シート部が前記薄型電池表面から剥離される状態で、前記摘みシート部が引き上げられて前記薄型電池が前記収納スペースから取り出されるようにしてなる電池パック。
【請求項１６】
請求項１５に記載される電池パックであって、
前記粘着シートが、前記薄型電池に剥離自在に接着される弱接着層を前記接着シート部に設けており、さらに、前記接着シート部が前記薄型電池との対向面に、前記弱接着層の塗布されない非塗布領域を設けてなることを特徴とする電池パック。
【請求項１７】
薄型電池を電子機器の外装ケースの収納スペースに固定する粘着シートであって、
接着層を介して前記収納スペースに接着される接着シート部と、前記薄型電池表面の露出面に剥離自在に接着される剥離シート部と、前記薄型電池の背面に接着されると共に、先端部には前記薄型電池の露出面に突出してなるツマミ部を有する摘みシート部とを有し、
前記接着シート部と前記剥離シート部とを連続するシートとして、前記摘みシート部を前記接着シート部から分離自在としており、
前記接着シート部が前記接着層を介して前記収納スペースに接着されて当該粘着シートが前記収納スペースに接着されると共に、前記剥離シート部が前記薄型電池表面の露出面に接着される状態で前記薄型電池が前記収納スペースに固定され、
前記剥離シート部が前記薄型電池表面から剥離される状態で、前記摘みシート部が引き上げられて前記薄型電池が前記収納スペースから取り出されるようにしてなる粘着シート。
【請求項１８】
請求項１７に記載される粘着シートであって、
前記薄型電池に剥離自在に接着される弱接着層を前記接着シート部に設けており、さらに、前記接着シート部が前記薄型電池との対向面に、前記弱接着層の塗布されない非塗布領域を設けてなることを特徴とする粘着シート。
【発明の詳細な説明】
【技術分野】
【０００１】
本発明は、薄型電池を電源として内蔵する電子機器と、この電子機器に内蔵される電池パック及び粘着シートに関する。
【背景技術】
【０００２】
携帯型の電子機器は、電源として内蔵する薄型電池からなる電池パックによって外装ケースを薄くできる。携帯型の電子機器は、携帯電話、スマートフォン、タブレット、電子ブック、ノート型パソコン、ゲーム機や音楽プレーヤーなどがある。さらに近年の電子機器は、電池パックをユーザーが脱着して交換できない構造として、外装ケースをさらに薄くする傾向にある。この電子機器は、外装ケース内の収納スペースに両面接着テープを介して電池パックを固定している。両面接着テープは、電池パック背面と収納スペース底面との間に配置されて、電池パックを収納スペースに固定する。（特許文献１、２参照）
【先行技術文献】
【特許文献】
【０００３】
【特許文献１】特開２０１４−１７７１５号公報
【特許文献２】特開２０１４−１７７１９号公報
【発明の概要】
【発明が解決しようとする課題】
【０００４】
両面接着テープは、薄型電池を確実に位置ずれしないように収納スペースの定位置に固定するために、両面に強接着の粘着層を有するタイプのものが使用される。この電子機器は、電池パックを極めて強固に収納スペースに固定できる特徴はあるが、電子機器を修理し、あるいは廃棄するときには、サービス工場やメーカーにおいても、電池パックを簡単には取り出しできない欠点がある。電池パックは、その外周と収納スペースとの隙間にマイナスドライバーなどを挿入して、収納スペースから取り出される。電池パックは底面が両面接着テープで収納スペース底面に接着されているので、薄型電池を損傷し、あるいは薄型電池を曲げるほどに強く引き上げないと、両面接着テープを剥離できない。このため、薄型電池を損傷することなく収納スペースから速やかに取り出しできない欠点がある。収納スペースから取り出されるときに薄型電池が損傷されると、修理するときに取り出した電池パックを再利用できず、また、内部ショート等の原因となって安全を確保できない欠点がある。
【０００５】
本発明は、この欠点を解決することを目的に開発されたものである。本発明の重要な目的は、簡単かつ容易に、しかも薄型電池を損傷することなく電子機器から速やかに取り外しでき、さらに、薄型電池を確実に電子機器の収納スペースに固定できる電子機器、電池パック、及び粘着シートを提供することにある。
【課題を解決するための手段】
【０００６】
本発明の電子機器は、粘着シートを介して外装ケースの収納スペースに薄型電池を固定している。粘着シートは、接着層を介して収納スペースに接着される接着シート部と、薄型電池表面の露出面に剥離自在に接着される剥離シート部と、薄型電池の背面に接着されると共に、先端部には薄型電池の露出面に突出してなるツマミ部を有する摘みシート部とを有する。粘着シートは、接着シート部と剥離シート部とを連続するシートとして、摘みシート部を接着シート部から分離自在としている。接着シート部が接着層を介して収納スペースに接着されて粘着シートが収納スペースに接着されると共に、剥離シート部が薄型電池表面の露出面に接着される状態で薄型電池が収納スペースに固定され、剥離シート部が薄型電池表面から剥離される状態で、摘みシート部が引き上げられて薄型電池が収納スペースから取り出されるようにしている。
なお、本明細書において、「接着」とは「粘着」を含む広い意味で使用する。
【０００７】
本発明の電子機器は、接着層よりも接着強度の弱い弱接着層を介して粘着シートを薄型電池に接着することができる。
【０００８】
本発明の電子機器は、剥離シート部が薄型電池表面の両側部に剥離自在に接着され、ツマミ部が、薄型電池表面の剥離シート部の接着領域以外の領域に剥離自在に接着されてなることができる。
【０００９】
本発明の電子機器は、薄型電池が外周縁部に凹部を有し、剥離シート部の一部が凹部に非接着状態に配置されてなることができる。
【００１０】
本発明の電子機器は、摘みシート部が分離自在なミシン目を介して接着シート部に連結することができる。
【００１１】
本発明の電子機器は、四角形である薄型電池の一辺の外周縁に凹部を有することができる。
【００１２】
本発明の電子機器は、剥離シート部と摘みシート部の表面に剥離する順番を表示することができる。
【００１３】
本発明の電子機器は、接着シート部の表面に、接着層を設ける接着領域を表示することができる。
【００１４】
本発明の電子機器は、接着層を両面接着テープとすることができる。
【００１５】
本発明の電子機器は、粘着シートを透明シートとすることができる。
【００１６】
本発明の電子機器は、粘着シートが、薄型電池に剥離自在に接着される弱接着層を接着シート部に備え、さらに、接着シート部が薄型電池との対向面に、弱接着層の塗布されない非塗布領域を備えることができる。
【００１７】
本発明の電子機器は、接着シート部が、接着層の反対側の面に非塗布領域を備えることができる。
【００１８】
本発明の電子機器は、接着層を細長い形状として、非塗布領域を接着層の長手方向に延びる帯状とすることができる。
【００１９】
本発明の電子機器は、接着層の幅方向に対して内側に非塗布領域を配置することができる。
【００２０】
本発明の電池パックは、薄型電池を粘着シートを介して電子機器の外装ケースの収納スペースに固定している。粘着シートは、接着層を介して収納スペースに接着される接着シート部と、薄型電池表面の露出面に剥離自在に接着される剥離シート部と、薄型電池の背面に接着されると共に、先端部には薄型電池の露出面に突出してなるツマミ部を有する摘みシート部とを有する。粘着シートは、接着シート部と剥離シート部とを連続するシートとして、摘みシート部を接着シート部から分離自在としている。接着シート部が接着層を介して収納スペースに接着されて粘着シートが収納スペースに接着されると共に、剥離シート部が薄型電池表面の露出面に接着される状態で薄型電池が収納スペースに固定され、剥離シート部が薄型電池表面から剥離される状態で、摘みシート部が引き上げられて薄型電池が収納スペースから取り出されるようにしている。
【００２１】
本発明の電池パックは、粘着シートが、薄型電池に剥離自在に接着される弱接着層を接着シート部に備え、さらに、接着シート部が薄型電池との対向面に、弱接着層の塗布されない非塗布領域を備えることができる。
【００２２】
本発明の粘着シートは、薄型電池を電子機器の外装ケースの収納スペースに固定する。この粘着シートは、接着層を介して前記収納スペースに接着される接着シート部と、薄型電池表面の露出面に剥離自在に接着される剥離シート部と、薄型電池の背面に接着されると共に、先端部には薄型電池の露出面に突出してなるツマミ部を有する摘みシート部とを有する。粘着シートは、接着シート部と剥離シート部とを連続するシートとして、摘みシート部を接着シート部から分離自在としている。接着シート部が接着層を介して収納スペースに接着されて当該粘着シートが収納スペースに接着されると共に、剥離シート部が薄型電池表面の露出面に接着される状態で薄型電池が収納スペースに固定され、剥離シート部が薄型電池表面から剥離される状態で、摘みシート部が引き上げられて薄型電池が収納スペースから取り出されるようにしている。
【００２３】
本発明の粘着シートは、薄型電池に剥離自在に接着される弱接着層を接着シート部に備え、さらに、接着シート部が薄型電池との対向面に、弱接着層の塗布されない非塗布領域を備えることができる。
【発明の効果】
【００２４】
以上の電子機器と電池パックは、薄型電池を安定して確実に収納スペースに固定しながら、取り出すときにはこれを損傷することなく、簡単に電子機器から速やかに取り外しできる特徴がある。損傷することなく簡単に取り外しできるのは、薄型電池の露出面に接着している剥離シート部を剥離して、摘みシート部のツマミ部を引っ張って、収納スペースから取り出しできるからである。とくに、剥離シート部を剥離する状態で、薄型電池の背面に接着している摘みシート部のツマミ部を引っ張って収納スペースから取り出されるので、薄型電池は背面から持ち上げられて、すなわち、収納スペースから最も確実に取り出される方向に引き上げられて取り出しされるので、簡単かつ確実に、しかも速やかに損傷することなく取り出される。さらに、薄型電池は表面の露出面に接着される剥離シート部を介して収納スペースに固定される。
【００２５】
薄型電池の露出面に接着される剥離シート部は、取り出し時に剥離できる程度の接着で露出面に接着しながら、薄型電池を安定して確実に収納スペースに固定できる特徴がある。それは、図１３に示すように、振動などで薄型電池が収納スペースから外れようとする外れ力（Ｆ）が作用する状態で、剥離シート部には接着面と平行な擦れ力（Ｆ１）が作用するからである。剥離シート部は、接着面に直交する方向に剥離力が作用して、露出面から簡単に剥離されても、接着面と平行な擦れ力（Ｆ１）に対して簡単には剥離されない。したがって、剥離シート部を剥離できる程度の接着力で露出面に接着しながら、収納スペースに確実に固定できる特徴がある。ちなみに、薄型電池が両面接着テープを介して収納スペースの底面に固定される従来の固定構造は、外れ力（Ｆ）が両面接着テープを剥離する方向に作用する。両面接着テープは、接着面と直交する剥離方向に作用する力では剥離しやすい。このため、従来の固定構造は、振動などで薄型電池が収納スペースから外れないように、極めて強固な接着力の両面接着テープで薄型電池を収納スペースに固定している。このため、薄型電池を収納スペースから簡単に取り外すときには、簡単に取り出しできない欠点があった。
【図面の簡単な説明】
【００２６】
【図１】本発明の実施例に係る電子機器の一部拡大断面図であって、図２のＩ−Ｉ線断面に相当する図である。
【図２】図１に示す電子機器の外装ケースを開いた状態を示す斜視図である。
【図３】図１に示す電子機器の収納スペースに薄型電池を固定する粘着シートの展開図であって、図４に示す背面側から見た図である。
【図４】図３の粘着シートを薄型電池に接着する状態を示す背面図である。
【図５】収納スペースに固定している薄型電池を取り出す状態を示す斜視図である。
【図６】収納スペースに固定している薄型電池を取り出す状態を示す斜視図である。
【図７】収納スペースに固定している薄型電池を取り出す状態を示す斜視図である。
【図８】収納スペースに固定している薄型電池を取り出す状態を示す斜視図である。
【図９】本発明の他の実施例にかかる粘着シートを示す展開図である。
【図１０】図９の粘着シートを薄型電池に接着する状態を示す正面図である。
【図１１】図９の粘着シートを薄型電池に接着する状態を示す背面図である。
【図１２】図９の粘着シートで収納スペースに固定している薄型電池を取り出す状態を示す斜視図である。
【図１３】薄型電池の外し力（Ｆ）が作用する状態で剥離シート部に作用する力（Ｆ１）の方向を示す断面図である。
【図１４】図７に示す電子機器から電池パックを取り出す状態を示す拡大断面図である。
【図１５】本発明の他の実施例に係る電子機器から薄型電池を取り出す状態を示す斜視図である。
【図１６】本発明の他の実施例に係る電子機器の拡大断面図であって、図１５のＸＶＩ−ＸＶＩ線断面に相当する図である。
【図１７】図１６に示す電子機器の粘着シートの展開図である。
【図１８】図１７に示す粘着シートの製造工程の一例を示す平面図である。
【図１９】本発明の他の実施例にかかる粘着シートを示す一部拡大展開図である。
【図２０】本発明の他の実施例にかかる粘着シートを示す一部拡大展開図である。
【発明を実施するための形態】
【００２７】
以下、本発明の実施例を図面に基づいて説明する。ただし、以下に示す実施例は、本発明の技術思想を具体化するための電子機器、電池パック、及び粘着シートを例示するものであって、本発明は電子機器、電池パック、及び粘着シートを以下のものに特定しない。
【００２８】
図１と図２に示す携帯型の電子機器１は、外装ケース２内に設けた収納スペース３に取り出し自在に電池パック４を配置している。電池パック４は、収納スペース３に配置される薄型電池５を有し、この薄型電池５を収納スペース３に取り出しできるように粘着シート６で固定している。
【００２９】
図１と図２の携帯型の電子機器１は、外装ケース２の内部に、電池パック４を収納するための凹部を設けて、凹部を収納スペース３としている。凹部の収納スペース３は、その内形を薄型電池５の外形よりもわずかに大きくしている。この収納スペース３は、薄型電池５を内側に配置する状態で、薄型電池５外周との間に狭い隙間、たとえば、１ｍｍ以下の隙間を設けている。電子機器１は、できる限り外形を小さくするために、内部の無駄なスペースを少なくしている。このことから、収納スペース３と薄型電池５外周との隙間もできる限り狭く、薄型電池５を挿入でき、かつできる限り小さく設計される。
【００３０】
電池パック４の薄型電池５は、外形を四角形とする角形電池である。この電池パック４を配置する収納スペース３は四角形の凹部で、薄型電池５との間の隙間をできる限り狭くする状態で薄型電池５を挿入して、粘着シート６で固定できる形状とされる。
【００３１】
粘着シート６は、透明のプラスチックフィルムである。透明の粘着シート６は、薄型電池５の表面の露出面５Ａに接着する状態で、表面の印刷文字や図形を外部から見ることができる。このため、印刷文字や図形を見える状態として、薄型電池５の表面に広い面積で接着できる。
【００３２】
粘着シート６の展開図を図３と図９に示し、これ等の使用状態を図２〜図１２に示している。これ等の図に示す粘着シート６は、接着層７を介して収納スペース３に接着される接着シート部８と、薄型電池表面の露出面５Ａに剥離自在に接着される剥離シート部９と、薄型電池５の背面５Ｂに接着されると共に、先端部には薄型電池５の露出面５Ａに突出してなるツマミ部１０Ａを有する摘みシート部１０とを有する。
【００３３】
接着シート部８は、接着層７を介して収納スペース３の底面に剥離しない状態で接着される。接着シート部８を収納スペース３の底面から剥離することなく、薄型電池５を収納スペース３から取り出しするからである。したがって、接着層７は、接着シート部８の下面を強く接着する接着剤層を介して収納スペース３の底面に接着され、あるいは強接着する粘着層を介して収納スペース３の底面に接着される。図１の断面図に示す粘着シート６は、接着層７を両面接着テープとし、この両面接着テープを介して接着シート部８を収納スペース３の底面に接着している。両面接着テープは、両面に強粘着層を有するテープで、一方の強粘着層を収納スペース３の底面に、他方の強粘着層を接着シート部８の下面に接着して、接着シート部８を収納スペース３に剥離しない状態で接着する。薄型電池５を収納スペース３から取り出すとき、接着シート部８は薄型電池５と一緒に剥離されずに収納スペース３に残存する。すなわち、両面接着テープの接着層７を剥離することなく、薄型電池５は収納スペース３から取り出される。したがって、接着層７の両面接着テープは、接着シート部８を収納スペース３の底面に接着して、摘みシート部１０を収納スペース３の底面に接着しない。
【００３４】
図３、図４及び図９の粘着シート６は、接着シート部８に、接着層７を設ける接着領域１１を表示している。この粘着シート６は、接着領域１１に接着層７の両面接着テープを接着して、両面接着テープを接着シート部８にのみ接着できる。すなわち、接着層７の両面接着テープが摘みシート部１０にはみ出さないように接着できる。したがって、両面接着テープの強粘着層、すなわち接着層７が摘みシート部１０に強く接着されて、薄型電池５を取り出し難くすることがない。
【００３５】
接着シート部８は、薄型電池５を収納スペース３から取り出す状態で、収納スペース３から剥離されない。すなわち、接着シート部８を収納スペース３に残して、摘みシート部１０と一緒に薄型電池５が収納スペース３から取り出される。薄型電池５が接着シート部８から分離して収納スペース３から取り出しできるように、接着シート部８は薄型電池５に剥離自在に接着される。
【００３６】
粘着シート６は、図１の一部拡大図に示すように、薄型電池５との対向面に、接着層７よりも接着強度の弱い弱接着層１６を設けている。このような弱接着層１６として、接着層７よりも接着強度の弱い粘着層とすることができる。粘着層である弱接着層１６は、剥離自在に薄型電池５の表面に接着される。弱接着層１６は、薄型電池５との対向面の全面、すなわち、接着シート部８と剥離シート部９と摘みシート部１０とに設けられる。弱接着層１６は、薄型電池５の表面に剥離自在に接着されて、薄型電池５を収納スペース３に固定する。この粘着シート６は、薄型電池５の対向面の全面に弱接着層１６を設ける、すなわち、弱接着層１６を設ける領域と設けない領域とを区画する必要がないので、安価に多量生産できる。また、弱接着層１６を介して接着シート部８と剥離シート部９と摘みシート部１０とを薄型電池５の表面に広い面積で接着できるので、薄型電池５を確実に収納スペース３に固定できる。ただ、粘着シート６は、必ずしも全面に弱接着層１６を設ける必要はなく、たとえば、接着シート部８の薄型電池５との対向面に弱接着層を設けることなく、薄型電池５を収納スペース３に固定することもできる。薄型電池５に接着される剥離シート部９が接着シート部８に連続するので、剥離シート部９と接着シート部８とを介して薄型電池５を収納スペース３に固定できるからである。
【００３７】
剥離シート部９は、接着シート部８に連続しており、薄型電池表面の露出面５Ａに剥離自在に接着されて、薄型電池５を収納スペース３に固定する。粘着シート６は、薄型電池５の露出面５Ａの両側に所定の幅で接着されて、薄型電池５を収納スペース３に固定する。図２と図１２の薄型電池５は、外周縁部（図において上縁）に凹部５Ｃを有し、剥離シート部９の一部を凹部５Ｃに非接着状態に配置している。この薄型電池５は、四角形の一辺に凹部５Ｃを設けて、ここに剥離シート部９の一端を配置している。リチウムポリマー電池は、四角形の一辺に凹部５Ｃができる。電極体の両側面に配置しているプラスチックフィルムを外周縁で積層し、積層部を加熱溶着して、電極リード１２を引き出して、内部を気密構造としているからである。剥離シート部９の端部を薄型電池５の凹部５Ｃに配置して、端部を薄型電池５の露出面５Ａに接着しない構造は、接着されない部分を摘んで簡単に薄型電池５の露出面５Ａから剥離できる。
【００３８】
摘みシート部１０は、ここを引っ張って薄型電池５を収納スペース３から取り出すので、薄型電池５の背面５Ｂに接着部１０Ｂを接着して、先端部には薄型電池５の露出面５Ａに突出するツマミ部１０Ａを設けている。接着部１０Ｂは、ツマミ部１０Ａを引っ張って薄型電池５から剥離しない強度で薄型電池５の背面５Ｂに接着される。接着部１０Ｂは、薄型電池５の背面５Ｂとの接着力が接着層７よりも弱くても、ツマミ部１０Ａを引っ張って薄型電池５を取り出す状態で、薄型電池５から剥離することはない。ツマミ部１０Ａを引っ張る状態で、接着部１０Ｂには接着面と平行に引張力が作用して、接着部１０Ｂを剥離する方向に引張力が作用しないからである。したがって、摘みシート部１０は、粘着シート６の剥離面全面に設けられる弱接着層１６で薄型電池５に接着されて、ツマミ部１０Ａを引っ張って、薄型電池５を収納スペース３から取り出すことができる。
【００３９】
図２〜図８に示す粘着シート６は、薄型電池表面の露出面５Ａの両側縁部に剥離シート部９を接着して、剥離シート部９の接着領域以外の領域である、図において露出面５Ａの下部にツマミ部１０Ａを剥離自在に接着している。図９〜図１２の粘着シート６は、薄型電池表面の露出面５Ａの全面に剥離シート部９とツマミ部１０Ａとを接着している。この粘着シート６は、剥離シート部９と摘みシート部１０との間にミシン目１５を設けて切り離しできるようにして、露出面５Ａの両側部に剥離シート部９を、剥離シート部９の間と下部とに摘みシート部１０を設けている。
【００４０】
図４に示す粘着シート６は弱接着層を介して薄型電池５の背面５Ｂの全面に接着され、図９の粘着シート６は、弱接着層を介して薄型電池５の露出面５Ａの全面に接着される。図４の粘着シート６は、薄型電池５の背面５Ｂの全面に接着される部分には、摘みシート部１０と接着シート部８との間にミシン目１３を設けて分離自在に連結している。さらに、この図の粘着シート６は、摘みシート部１０の両側を切断ライン１４で切り離して、図において摘みシート部１０の上縁に沿ってミシン目１３を設けている。図示しないが、この粘着シートは切断ラインを設けている部分をミシン目とすることができ、またミシン目を切断ラインとすることもできる。
【００４１】
図４の粘着シート６は、弱接着層を薄型電池５の表面に接着して、すなわち、接着シート部８と剥離シート部９と摘みシート部１０とを薄型電池５の表面に接着し、接着領域１１に接着層７である両面接着テープを接着し、両面接着テープを介して薄型電池５を電子機器１の収納スペース３に固定される。
【００４２】
図２と図３の粘着シート６は、剥離シート部９と摘みシート部１０の表面に、薄型電池５の露出面５Ａから剥離する順番（丸で囲まれた数字「１」〜「３」）を表示している。表示される順番に従って、図５〜図８に示すようにして薄型電池５を収納スペース３から取り出すことができる。すなわち、以下の工程で薄型電池５を収納スペース３から取り出しできる。
【００４３】
１．図５に示すように、両側の剥離シート部９を薄型電池表面の露出面５Ａから剥離する。図２は、両側の剥離シート部９に、剥離する順番を「１」、「２」と表示し、ツマミ部１０Ａに「３」と表示しているが、両側の剥離シート部９を剥離する順番は、図２に示すように、必ずしも左側から右側とする必要はないので、表示する順番を両方「１」とし、ツマミ部１０Ａを「２」と表示することもできる。
２．図６に示すように、ツマミ部１０Ａを薄型電池表面の露出面５Ａから剥離し、その後図７に示すように、ツマミ部１０Ａを引っ張って薄型電池５を接着シート部８から剥離する。
３．その後、さらにツマミ部１０Ａを引っ張って、薄型電池５を収納スペース３から取り出す。
【００４４】
図９の粘着シート６は、薄型電池５の露出面５Ａの全面に接着される部分には、剥離シート部９と摘みシート部１０との間にミシン目１５を設けて分離自在に連結し、さらに、薄型電池５の背面５Ｂには、その両側に接着シート部８を接着して、図において下部には、接着シート部８から分離して、摘みシート部１０を接着している。
【００４５】
図９の粘着シート６は、弱接着層を薄型電池５の表面に接着して、すなわち、剥離シート部９と摘みシート部１０と接着シート部８を薄型電池５の表面に接着し、接着領域１１に接着層７である両面接着テープを接着し、両面接着テープを介して薄型電池５を電子機器１の収納スペース３に固定される。
【００４６】
図９と図１０の粘着シート６も、図１２に示すように、剥離シート部９と摘みシート部１０の表面に、薄型電池５の露出面５Ａから剥離する順番（丸で囲まれた数字「１」〜「４」）を表示している。表示される順番に従って、薄型電池５を収納スペース３から取り出すことができる。すなわち、以下の工程で薄型電池５を収納スペース３から取り出しできる。
【００４７】
１．図１２の矢印Ａで示すように、ツマミ部１０Ａを上端側から剥離して、両側の剥離シート部９とツマミ部１０Ａとの間のミシン目１５を分離する。
２．図１２の矢印Ｂで示すように、両側の剥離シート部９を薄型電池表面の露出面５Ａから剥離する。ただ、左右の剥離シート部９を剥離する順番は、前述と同様に特定する必要はない。
３．薄型電池５の露出面５Ａから剥離されたツマミ部１０Ａ（図１２において一点鎖線で表示）を、図１２の矢印Ｃで示すように引っ張って薄型電池５を接着シート部８から剥離する。
４．その後、さらにツマミ部１０Ａを引っ張って、薄型電池５を収納スペース３から取り出す。
【００４８】
なお、本実施例において、電子機器１を携帯型の電子機器としたが、携帯式以外の電子機器、例えば、デスクトップパソコンやハードディスクレコーダーなどの据置型の電子機器で、内蔵電池を備えるものとしてもよい。
【００４９】
なお、本実施例において、粘着シート６と薄型電池５とを接着する弱接着層１６を粘着層で行うとしたが、この弱接着層１６は、粘着シート６と収納スペース３とを接着する接着層７よりも接着強度の弱い接着剤層とすることもできる。あるいは、弱接着層は、粘着シート６と薄型電池５を密着状態に保持できる層、例えば、粘着シート６と薄型電池５とを表面張力で密着状態に保持できるゲルやリキッドからなる密着層とすることも、粘着シート６と薄型電池５とを真空状態で密着させる真空密着層とすることもできる。
【００５０】
以上の電池パックは、図７に示すように、ツマミ部１０Ａを引っ張って、図８に示すように収納スペース３から取り出される。電池パック４が収納スペース３から取り出された状態で、薄型電池５の接着シート部８との接着部表面に歪みができることがある。歪みのある薄型電池は再使用できないので、剥離するときには歪みが発生させないことが大切である。歪みは、ツマミ部１０Ａを引っ張って電池パック４を収納スペース３から分離するときに、薄型電池表面が接着シート部８に密着されてスムーズに剥離できず、接着シート部８に強く引っ張られて延びることが原因で発生する。薄型電池５は、図１に示すように、スムーズに剥離できるように、接着力の弱い弱接着層１６を介して接着シート部８に接着している。にもかかわらず、薄型電池５はスムーズに接着シート部８から剥離されない。それは、薄型電池５の表面が弱接着層１６によって接着シート部８に吸盤のように吸着状態で密着しているからである。この状態で接着される薄型電池５は、弱接着層１６の接着力（粘着層にあっては粘着力）と、吸盤が空気を排気して吸着する吸着力との両方で接着される。接着力は接着層の接着強度で弱くできるが、吸着力は接着層の接着力では弱くできない。吸着力は、薄型電池と接着シート部との間の空気層によってコントロールできる。
【００５１】
図１４は、ツマミ部１０Ａを引っ張って電池パック４が収納スペース３から取り出される状態を示す拡大断面図である。この図は、図２のＩ−Ｉ線の断面に相当する拡大断面図であって、薄型電池５の背面５Ｂを収納スペース３に接着する部分の拡大断面図である。図１４の鎖線は、薄型電池５を収納スペース３から取り出した状態を示している。鎖線で示すように、薄型電池５は摘みシート部１０の接着部１０Ｂを背面５Ｂに接着して、接着シート部８を収納スペース３に残して、すなわち摘みシート部１０の接着部１０Ｂを接着シート部８から切り離して収納スペース３から取り出される。薄型電池５は、接着シート部８との間の弱接着層１６を剥離して収納スペース３から取り出される。ツマミ部１０Ａを引っ張って薄型電池５を接着シート部８の弱接着層１６から剥離するとき、図１４のジグザグ線Ａで示す弱接着層１６の接合面が強く接着されて、スムーズに剥離されない。ジグザグ線Ａで示す弱接着層１６の接合面が、弱接着層１６の接着力と吸着力の両方で強く接着されるからである。このため、収納スペース３から取り出された薄型電池５は、図の鎖線で示すように、接合面で強く引っ張られて延びて歪み２０が発生する。
【００５２】
図１５の斜視図と図１６の拡大断面図に示す粘着シート６は、以上の弊害を防止するために、薄型電池５と接着シート部８との間に、弱接着層１６を設けない弱接着材の非塗布領域１７を設けている。非塗布領域１７は、薄型電池５との対向面であって、接着層７の反対側の面（図１６において接着シート部８の上面）に設けられる。非塗布領域１７は、薄型電池５を接着シート部８の表面に吸着させない空気層となる。弱接着層１６の間に非塗布領域１７を設けているので、非塗布領域１７には弱接着層１６の膜厚に相当する隙間ができるからである。非塗布領域１７は、空気層となって薄型電池５を接着シート部８の表面に吸着しない。また、弱接着層１６が接着することもない。したがって、接着シート部８は、弱接着層１６を介して薄型電池５の表面に接着されるが、非塗布領域１７においては薄型電池５に接着されない。
【００５３】
図１６の断面図に示す粘着シート６は、接着シート部８において、接着層７の反対側の面（図において接着シート部８の上面）であって、薄型電池５との対向面に非塗布領域１７を設けている。この粘着シート６の展開図を図１７に示す。この粘着シート６は、細長い接着層７の長手方向に延びて、所定の幅の帯状の非塗布領域１７を設けている。なお、図１７においては、非塗布領域１７をわかりやすくするために、弱接着層１６を設けた部分を灰色のハッチングで表示している。非塗布領域１７の横幅（Ｗ１）は接着層７の横幅（Ｗ２）よりも狭く、接着層７は非塗布領域１７の外側に配置される。この粘着シート６は、図１６に示すように、非塗布領域１７の両側に設けられる弱接着層１６を薄型電池５に接着する。以上のように、非塗布領域１７の横幅（Ｗ１）を接着層７の横幅（Ｗ２）よりも狭くして、接着層７の幅方向に対して内側に非塗布領域１７を設ける粘着シート６は、非塗布領域１７の両側に設けられる弱接着層１６を薄型電池５に接着して、この部分を接着層７を介して収納スペース３に接着する。
【００５４】
以上の粘着シート６は、薄型電池５を確実に安定して収納スペース３に固定しながら、薄型電池５の表面の歪みを防止しながら、スムーズに収納スペース３から薄型電池５を取り出しできる特徴がある。ただ、図示しないが、粘着シートは、以上のように、必ずしも接着層７の幅方向に対して内側に非塗布領域１７を設けて、非塗布領域１７の両側に接着層７を配置する必要はなく、接着層の片側に非塗布領域を設けることもできる。
【００５５】
図１７の展開図に示す粘着シート６は、ツマミ部１０Ａの先端に、側面に突出する剥離部１８を設けている。剥離部１８は、細長い帯状で直線状に設けられる非塗布領域１７の延長線上にあって、表面に弱接着層１６が塗布されない。この剥離部１８は、薄型電池５に表面に接着されず、ツマミ部１０Ａは、剥離部１８を除く領域を薄型電池５の表面に接着する。このツマミ部１０Ａは、剥離部１８を摘んで速やかに摘みシート部１０を薄型電池５から剥離できる特徴がある。
【００５６】
以上の粘着シート６は、図１８に示すように、細長い帯状のプラスチックシート１９を、太線で示す形状に裁断して製作される。なお、図１８においても、非塗布領域１７をわかりやすくするために、弱接着層１６を設けた部分を灰色のハッチングで表示している。図１７の展開図に示す粘着シート６は、図１８に示す帯状のプラスチックシート１９を裁断して、能率よく安価に多量生産しながら、ツマミ部１０Ａの先端に剥離部１８を設けることができる。それは、ツマミ部１０Ａ先端の剥離部１８を、直線状に設けている非塗布領域１７の延長線上に配置するので、プラスチックシート１９を裁断してツマミ部１０Ａの先端に剥離部１８を設けることができるからである。
【００５７】
さらに、粘着シート６は、図１９に示すように、接着シート部８に複数列に並べて非塗布領域１７を設けることができる。この粘着シート６は、接着部１０Ｂの長手方向と平行に複数列の非塗布領域１７を設けている。ただし、粘着シート６は、図２０に示すように、細長い接着部１０Ｂの長手方向と交差するように複数列の非塗布領域１７を設けることもできる。なお、図１９と図２０においても、非塗布領域１７をわかりやすくするために、弱接着層１６を設けた部分を灰色のハッチングで表示している。
【産業上の利用可能性】
【００５８】
本発明の電子機器、電池パック、及び粘着シートは、電子機器を修理し、あるいは廃棄するときに、電子機器の収納スペースから薄型電池を損傷することなく取り出して、交換し、あるいは廃棄して便利に使用できる。
【符号の説明】
【００５９】
１…電子機器
２…外装ケース
３…収納スペース
４…電池パック
５…薄型電池
５Ａ…露出面
５Ｂ…背面
５Ｃ…凹部
６…粘着シート
７…接着層
８…接着シート部
９…剥離シート部
１０…摘みシート部
１０Ａ…ツマミ部
１０Ｂ…接着部
１１…接着領域
１２…電極リード
１３…ミシン目
１４…切断ライン
１５…ミシン目
１６…弱接着層
１７…非塗布領域
１８…剥離部
１９…プラスチックシート
２０…歪み
【図１】
2017134887.tif 000003
【図２】
2017134887.tif 000004
【図３】
2017134887.tif 000005
【図４】
2017134887.tif 000006
【図５】
2017134887.tif 000007
【図６】
2017134887.tif 000008
【図７】
2017134887.tif 000009
【図８】
2017134887.tif 000010
【図９】
2017134887.tif 000011
【図１０】
2017134887.tif 000012
【図１１】
2017134887.tif 000013
【図１２】
2017134887.tif 000014
【図１３】
2017134887.tif 000015
【図１４】
2017134887.tif 000016
【図１５】
2017134887.tif 000017
【図１６】
2017134887.tif 000018
【図１７】
2017134887.tif 000019
【図１８】
2017134887.tif 000020
【図１９】
2017134887.tif 000021
【図２０】
2017134887.tif 000022